(57)【要約】【課題】使用中の位置ずれを防止することのできる骨伝導スピーカ装置を提供する。【解決手段】骨伝導させる音声を発生する骨伝導スピーカ部１１と、骨伝導スピーカ部１１を保持する保持部２２を有するハウジング部２０と、を有し、ハウジング部２０は、聴者の外耳道に対して挿入可能な挿入部２４を有する骨伝導スピーカ装置１０である。これにより、挿入部２４が外耳道に挿入されることで、ハウジング部２０の聴者の耳に対する位置が定まりやすくなり、骨伝導スピーカ部１１の位置ずれを起こしにくいようにすることができる。【選択図】図１
2017011551.tif 000002
【特許請求の範囲】
【請求項１】
骨伝導させる音声を発生する骨伝導スピーカ部と、
前記骨伝導スピーカ部を保持する保持部を有するハウジング部と、を有し、
前記ハウジング部は、聴者の外耳道に対して挿入可能な挿入部を有する骨伝導スピーカ装置。
【請求項２】
前記ハウジング部は、前記保持部から延出される延伸部を有し、該延伸部の先端部に前記挿入部が形成される請求項１に記載の骨伝導スピーカ装置。
【請求項３】
前記延伸部は、前記保持部と前記挿入部の間にシャフト部を有し、該シャフト部は、前記挿入部が聴者の外耳道に挿入された状態で聴者の耳珠を避ける凹部を有する請求項２に記載の骨伝導スピーカ装置。
【請求項４】
前記シャフト部は、前記挿入部に対する前記骨伝導スピーカ部の位置を変化させる可動部を有する請求項３に記載の骨伝導スピーカ装置。
【請求項５】
前記可動部は、前記挿入部が聴者の外耳道に挿入された状態で前記骨伝導スピーカ部を聴者に対して押し当てる方向に付勢されている請求項４に記載の骨伝導スピーカ装置。
【請求項６】
前記挿入部は、聴者の外耳道を閉塞する耳栓部を有する請求項１〜５のいずれか１項に記載の骨伝導スピーカ装置。
【請求項７】
前記シャフト部は、聴者の耳介を把持可能な把持部を有する請求項１〜６のいずれか１項に記載の骨伝導スピーカ装置。
【発明の詳細な説明】
【技術分野】
【０００１】
本発明は、ユーザの骨を媒体にして音を伝える骨伝導スピーカ部を有する骨伝導スピーカ装置に関する。
【背景技術】
【０００２】
人が耳で音を聴く際には、空気の振動で伝えられた音、すなわち気導音と、骨の振動で伝えられた音、すなわち骨導音とが聞こえている。通常のスピーカは、気導音によって音声を耳に認識させているが、骨導音によって音を耳に認識させる骨伝導スピーカも知られている。
【０００３】
骨伝導スピーカは、振動する物体を頭部や側頭部、あるいは頸部に接触させることで、骨を通じて音の振動を直接内耳に到達させるものである。骨伝導スピーカにおいて、音の振動は、外耳や中耳を介することなく内耳に達するので、外耳や中耳の機能が低下した難聴者に用いられる他、外部の騒音に妨害されることなく音を聴き取ることができるので、耳を開放しておかなければ危険な状況で働く人の通信などに用いられている。このような骨伝導スピーカとしては、例えば特許文献１に挙げるようなものがある。
【先行技術文献】
【特許文献】
【０００４】
【特許文献１】特許第４２３１５２５号公報
【発明の概要】
【発明が解決しようとする課題】
【０００５】
骨伝導スピーカの使用方法として、音を聴く本人ではなく、会話をする相手が骨伝導スピーカを本人に対して押し当てることがある。例えば、医師と難聴の患者とが会話する際に、医師が患者に対して骨伝導スピーカを押し当てて会話することなどが考えられる。
【０００６】
骨伝導スピーカは、聴く人の内耳に向かい頭蓋骨を通じて振動が伝わる位置に配置する必要がある。使用中にこの位置がずれると、難聴の人が十分に会話などを聴き取ることが難しくなる。しかし、従来の骨伝導スピーカは、基本的に使用者が手で持って頭部や側頭部、あるいは頸部に接触させるものであるため、使用中に位置がずれてしまう可能性があった。
【０００７】
本発明は、上述した課題を解決するためになされたものであり、使用中の位置ずれを防止することのできる骨伝導スピーカ装置を提供することを目的とする。
【課題を解決するための手段】
【０００８】
上記目的を達成する本発明に係る骨伝導スピーカ装置は、骨伝導させる音声を発生する骨伝導スピーカ部と、前記骨伝導スピーカ部を保持する保持部を有するハウジング部と、を有し、前記ハウジング部は、外耳道に対して挿入可能な挿入部を有する。
【発明の効果】
【０００９】
上記のように構成した骨伝導スピーカ装置は、挿入部が外耳道に挿入されることで、ハウジング部の聴者の耳に対する位置が定まりやすくなり、骨伝導スピーカ部の位置ずれを起こしにくいようにすることができる。
【図面の簡単な説明】
【００１０】
【図１】本実施形態の骨伝導スピーカ装置の斜視図である。
【図２】骨伝導スピーカ部を有するハウジング部の側面図である。
【図３】骨伝導スピーカ装置の挿入部を聴者の外耳道に挿入した状態の斜視図である。
【図４】第１変形例の骨伝導スピーカ装置の斜視図である。
【図５】第２変形例の骨伝導スピーカ装置の斜視図である。
【図６】第３変形例の骨伝導スピーカ装置の挿入部を聴者の外耳道に挿入し、把持部を聴者の対耳珠に固定した状態の斜視図である。
【発明を実施するための形態】
【００１１】
以下、図面を参照して、本発明の実施の形態を説明する。なお、図面の寸法比率は、説明の都合上、誇張されて実際の比率とは異なる場合がある。
【００１２】
本実施形態の骨伝導スピーカ装置１０は、使用者である医師や看護師が、聴者である難聴の患者と会話するために用いることを想定している。使用時には、医師や看護師が骨伝導スピーカ装置１０を持って患者の頭部や側頭部などの骨や歯の上に接触させ、かつ、骨伝導スピーカ装置１０を患者の耳部に固定する。その状態で話をすることで、骨伝導スピーカ装置１０から患者の頭蓋骨を通じて音声を内耳に直接伝えることができる。なお、本実施形態の骨伝導スピーカ装置１０は、医師や看護師と患者との会話に限らず、その他の用途に用いてもよい。
【００１３】
図１に示すように、骨伝導スピーカ装置１０は、ハウジング部２０と、その側面から外方に伸びる延伸部２３とを有している。ハウジング部２０は、一方の面に骨伝導スピーカ装置１０を手で持つことができるように突出した把手部２１と、後述する骨伝導スピーカ部１１を保持する保持部２２とを有している。延伸部２３は、ハウジング部２０から延出されるシャフト部２５と、シャフト部２５の先端部に設けられる挿入部２４とを有している。
【００１４】
図２に示すように、ハウジング２０の一方側の面に骨伝導スピーカ部１１が設けられる。把手部２１は、ハウジング２０の骨伝導スピーカ部１１が面する方向と反対方向に向かって伸びるように形成されている。使用者は、把手部２１を手で持って骨伝導スピーカ部１１を聴者に対して接触させることができる。また、ハウジング２０には、音声を入力するためのマイク部１２も設けられている。
【００１５】
図１に示すように、シャフト部２５は、先端側において屈曲しており、ハウジング部２０が聴者の側頭部付近に接触した状態において、挿入部２４を聴者の外耳道に対し挿入可能となる形状に形成されている。シャフト部２５の屈曲した部分には、耳部のうち耳珠を避ける形状を有する凹部２５ａが形成されている。シャフト部２５は、弾性を有する樹脂材などの素材によって形成されている。
【００１６】
挿入部２４は、聴者の外耳道に挿入できる径及び長さを有しており、柔軟性を有する樹脂材などによって形成することができる。また、挿入部２４は、中実状に形成されており、骨伝導スピーカ部１１で発生した振動が、外耳道を通じて空気の振動としては伝わらないようになっている。これにより、挿入部２４は、骨伝導スピーカ装置１０を聴者の側頭部に固定する部分として機能する。また、挿入部２４を通じては音声が伝わらないことにより、外耳道を通じた音が聞こえないようにすることで、外部からの騒音を遮断し、聴者の頭蓋骨を通じた骨伝導による音声伝達をより明瞭化することができる。
【００１７】
一方、骨伝導による音声伝達に加えて気導音も活用したい場合には、挿入部２４の内部に空洞を設けると共に、この空洞と外耳道の内部とを連通させる開口を設けることもできる。これにより、挿入部２４から外耳道を通じて気導音を伝達させることができ、骨伝導と合わせた音声伝達を行うことができる。
【００１８】
図３に示すように、耳介３０は、耳珠３２の奥側に外耳道３１を有し、耳珠３２と対向するように対耳珠３３を有している。骨伝導スピーカ装置１０の挿入部２４は、前述のように外耳道３１に対して挿入され、ハウジング部２０が有する骨伝導スピーカ部１１は、聴者の側頭部に接触される。シャフト部２５には、凹部２５ａが形成されていることにより、延伸部２３が耳珠３３を避けることができ、骨伝導スピーカ部１１と頭部の骨や歯とが離れることなく、骨伝導スピーカ部１１と頭部の骨や歯との接触状態を維持できるようになっている。
【００１９】
骨伝導による音声伝達のためには、使用中に骨伝導スピーカ部１１が側頭部から離れたり、あるいは位置がずれないようにする必要がある。本実施形態の骨伝導スピーカ装置１０は、前述のように、使用者が把手部２１を手で持って聴者の側頭部に骨伝導スピーカ部１１を接触させるが、挿入部２４が聴者の外耳道３１に挿入されて、骨伝導スピーカ部１１が聴者の側頭部に補助的に保持されていることにより、骨伝導スピーカ部１１の位置を維持しやすくすることができる。
【００２０】
次に、第１変形例の骨伝導スピーカ装置５０について説明する。図４に示すように、本変形例の骨伝導スピーカ装置５０は、ハウジング部２０からシャフト部２５を有する延伸部２３が伸び、シャフト部２５の屈曲した先端部には挿入部２４が形成されている点では、上述の骨伝導スピーカ装置１０と同様である。一方、本変形例の骨伝導スピーカ装置５０は、シャフト部２５に回動自在な可動部２５ｂが形成されている。
【００２１】
可動部２５ｂは、挿入部２４の位置を基準として、可動部２５ｂよりもハウジング部２０側のシャフト部２５を、図中破線で示す位置まで回動させることができる。すなわち、可動部２５ｂにより、挿入部２４に対する骨伝導スピーカ部１１の位置を変化させることができる。
【００２２】
可動部２５ｂ内には、金属製の弾性部材２５ｃが設けられており、回動させたシャフト部２５が元の位置に戻るように付勢している。可動部２５ｂによりハウジング部２０側が付勢される方向は、ハウジング部２０に保持された骨伝導スピーカ部１１が挿入部２４に近づく方向であり、挿入部２４を聴者の外耳道に挿入した状態において、骨伝導スピーカ部１１を聴者に対して押し当てる方向となる。
【００２３】
このように、シャフト部２５に可動部２５ｂを設けたことにより、挿入部２４に対する骨伝導スピーカ部１１の位置を変化させることができ、挿入部２４を外耳道に挿入した状態で、聴者が音声を聞き取りやすいように、骨伝導スピーカ部１１の位置調整を行うことができる。
【００２４】
また、可動部２５ｂは骨伝導スピーカ部１１を聴者に対して押し当てる方向に付勢されていることにより、挿入部２４を聴者の外耳道に挿入した状態で、骨伝導スピーカ部１１が聴者の側頭部において適切な位置に保持されやすいようにすることができる。なお、可動部２５ｂを付勢する手段としては、弾性部材２５ｃを設けるものには限られず、様々な手段を用いることができる。
【００２５】
次に、第２変形例の骨伝導スピーカ装置６０について説明する。図５に示すように、本変形例の骨伝導スピーカ装置６０は、ハウジング部２０からシャフト部２５を有する延伸部２３が伸び、シャフト部２５の屈曲した先端部には挿入部２４が形成されている点では、上述の骨伝導スピーカ装置１０と同様である。一方、本変形例の骨伝導スピーカ装置６０は、挿入部２４に耳栓部２４ａが設けられている。
【００２６】
耳栓部２４ａは、聴者の外耳道の入口を閉塞する径を有するように形成されている。また、耳栓部２４ａは、外耳道の入り口の形状に適合するように、柔軟な素材によって形成されていることが望ましい。このように、挿入部２４に耳栓部２４ａを設けていることにより、骨伝導スピーカ装置６０の使用時に聴者の外耳道を閉塞してしまうことができ、外耳道を通じて伝播する外部からの騒音を確実に遮断し、骨伝導による音声のみを聴者に伝えることができる。
【００２７】
次に、第３変形例の骨伝導スピーカ装置７０について説明する。図６に示すように、本変形例の骨伝導スピーカ装置６０は、ハウジング部２０からシャフト部２５を有する延伸部２３が伸び、シャフト部２５の屈曲した先端部には挿入部２４が形成されている点では、上述の骨伝導スピーカ装置１０と同様である。一方、本変形例の骨伝導スピーカ装置７０は、シャフト部２５の屈曲部分に把持部２５ｄが形成されている。
【００２８】
把持部２５ｄは、シャフト部２５から突出するように設けられ、その先端部は、聴者の耳介３０のうち、対耳珠３３の部分を掴むことが可能となるように形成されている。このように、シャフト部２５に把持部２５ｄを設けていることにより、挿入部２４が聴者の外耳道に挿入されて保持された位置から体外方向へ移動しないようにして、挿入部２４による骨伝導スピーカ装置７０の保持をさらに補強することができ、骨伝導スピーカ部１１の位置ずれをより確実に防止することができる。なお、把持部２５ｄは、対耳珠３３を把持するものには限られず、耳介３０のいずれかの部位に対して固定できるものであればよい。
【００２９】
把持部２５ｄの構造としては、耳介３０を挟持する２つの部材が、ばねなどの弾性体によって挟持方向に付勢された構造が考えられる。この場合、２つの部材を弾性体の付勢に対抗して広げ、耳介３０を両部材間に挿入してから、２つの部材に対する付勢の対抗力を解除することで、挟持部２５が耳介３０を弾性的に挟持することができる。
【００３０】
また、別の形態の把持部２５ｄの構造としては、ゴム材などの一体的な弾性部材からなる把持部２５ｄを、耳介３０の両面を挟持できるようなＵ字状等の形状に形成した構造が考えられる。この場合、把持部２５ｄの先端部を広げて耳介３０を把持部２５ｄ内に差し込むことで、弾性部材からなる把持部２５ｄは、元の形状に戻って耳介３０を弾性的に挟持することができる。
【００３１】
さらに別の形態の把持部２５ｄの構造としては、互いの距離を変化可能な第１面と第２面とを設け、第１面には突起部を、第２面には突起部を係止可能な孔部を、それぞれ形成した構造が考えられる。この場合、耳介３０の挟持前の状態において、突起部と孔部とは互いに離れており、耳介３０を第１面と第２面との間に挿入した上で、第１面と第２面とを近づけ、突起部を孔部に係止することで、第１面と第２面により耳介３０を両面から挟持することができる。
【００３２】
以上のように、本実施形態に係る骨伝導スピーカ装置１０は、骨伝導させる音声を発生する骨伝導スピーカ部１１と、骨伝導スピーカ部１１を保持する保持部２２を有するハウジング部２０と、を有し、ハウジング部２０は、聴者の外耳道に対して挿入可能な挿入部２４を有する。これにより、挿入部２４が外耳道に挿入されることで、ハウジング部２０の聴者の耳に対する位置が定まりやすくなり、骨伝導スピーカ部１１の位置ずれを起こしにくいようにすることができる。
【００３３】
また、ハウジング部は、保持部２２から延出される延伸部２３を有し、延伸部２３の先端部に挿入部２４が形成されるようにすれば、外耳道に挿入される挿入部２４と聴者の側頭部に接触される骨伝導スピーカ部１１との位置関係を適切に設定することができる。
【００３４】
また、延伸部２３は、保持部２２と挿入部２４の間にシャフト部２５を有し、シャフト部２５は、挿入部２４が聴者の外耳道３１に挿入された状態で聴者の耳珠３２を避ける凹部２５ａを有するようにすれば、挿入部２４を聴者の外耳道に挿入した状態で、シャフト部２５が耳の形状と干渉しないようにしつつ、骨伝導スピーカ部１１を適切な位置に配置することができる。
【００３５】
また、シャフト部２５は、挿入部２４に対する骨伝導スピーカ部１１の位置を変化させる可動部２５ｂを有するようにすれば、挿入部２４を聴者の外耳道に挿入した状態で、骨伝導スピーカ部１１を聴者が聞こえやすい位置となるように容易に調整することができる。
【００３６】
また、可動部２５ｂは、挿入部２４が聴者の外耳道３１に挿入された状態で骨伝導スピーカ部１１を聴者に対して押し当てる方向に付勢されているようにすれば、骨伝導スピーカ部１１の位置ずれをより確実に防止することができる。
【００３７】
また、挿入部２４は、聴者の外耳道３１を閉塞する耳栓部２４ａを有するようにすれば、外耳道３１を閉塞した状態で骨伝導スピーカ部１１からの音声を骨伝導により聴者に伝えることができ、外部の騒音を排除してより明瞭に聴者に音声を伝えることができる。
【００３８】
また、シャフト部２５は、聴者の耳介３０を把持可能な把持部２５ｄを有するようにすれば、外耳道３１に挿入される挿入部２４と合わせて、骨伝導スピーカ部１１の位置ずれをより強固に防止できる。
【００３９】
なお、本発明は、上述した実施形態のみに限定されるものではなく、本発明の技術的思想内において当業者により種々変更が可能である。例えば、上述の実施形態では、シャフト部２５の形状は、耳珠３３を避けるように形成された凹部２５ａを有しているが、それ以外の部分において、聴者の耳介３０の凹凸形状に適合する凹凸形状をシャフト部２５が有するようにしてもよい。この場合、シャフト部２５が聴者の耳の形状によりフィットするので、骨伝導スピーカ部１１のより確実な位置ずれ防止を図ることができる。
【符号の説明】
【００４０】
１０    骨伝導スピーカ装置
１１    骨伝導スピーカ部
１２    マイク部
２０    ハウジング部
２１    把手部
２２    保持部
２３    延伸部
２４    挿入部
２４ａ  耳栓部
２５    シャフト部
２５ａ  凹部
２５ｂ  可動部
２５ｃ  把持部
３０    耳介
３１    外耳道
３２    耳珠
３３    対耳珠
【図１】
2017011551.tif 000003
【図２】
2017011551.tif 000004
【図３】
2017011551.tif 000005
【図４】
2017011551.tif 000006
【図５】
2017011551.tif 000007
【図６】
2017011551.tif 000008